(57)【要約】【課題】包帯からのタブ除去に関する問題を解消し、接着剤に触れることなく包帯を容易に取扱うことのできる包帯を提供する。【解決手段】主部２およびハンドル部から成る包帯であって、主部２は接着剤層１３、剥離ライナ１４、および選択的に保護層（不図示）で被覆された担体層１２から成り、前記ハンドル部は少なくとも１つのタブ部材３、４から成り、前記タブ部材３、４は前記主部２の接着剤面に触れることなく皮膚へ包帯を適用するための設計であり、タブ部材３、４は１以上の層から成りかつ前記包帯の主部２と共通の少なくとも１層を有し、更に、前記ハンドル部と前記主部２間の中間領域７、８の長さは前記主部２の周囲長の２０％未満であり、ハンドル部と主部２間の中間領域７、８に少なくとも１つの切欠き部５、６が形成される包帯とする。【選択図】図１
2008173508.tif 000002
【特許請求の範囲】
【請求項１】
一定の周辺長を有する主部、ハンドル部および前記主部とハンドル部間の中間領域から成り、
前記主部は接着剤層、担体層から成り、
前記ハンドル部は前記主部の接着剤面に触れることなく皮膚へ包帯を適用するためのグリップとして使用できる設計であり、かつ１以上の層から成りかつ包帯の主部と共通の少なくとも１つの層を有し、
前記中間領域は前記主部の周辺長の２０％未満である前記ハンドル部と前記主部間の結合部の線の長さを有し、かつ少なくとも１つの切り欠きを有し、
前記主部は共通層として前記中間領域に打ち抜き穴なしにさえぎられずに延びる上面を有する
ことを特徴とする包帯。
【請求項２】
前記ハンドル部は少なくとも１つの付加層を有することを特徴とする請求項１の包帯。
【請求項３】
前記切欠き部は包帯の全ての層を貫いて伸びているが、前記中間領域の全長に沿って伸びてはいない切り欠き部分である
ことを特徴とする請求項１の包帯。
【請求項４】
前記ハンドル部は、前記包帯の主部の担体層を含むことを特徴とする請求項１の包帯。
【請求項５】
前記担体層は保護層に覆われており、前記ハンドル部は前記包帯の主部の前記保護層を含むことを特徴とする請求項１の包帯。
【請求項６】
前記ハンドル部は、前記包帯の主部と共通の、接着剤層、剥離層、および担体層を有することを特徴とする請求項１の包帯。
【請求項７】
前記担体層は前記保護層に覆われており、前記ハンドル部もまた前記包帯の主部と共通の前記保護層を有することを特徴とする請求項６の包帯。
【請求項８】
前記ハンドル部は、包帯の主部と共通の、担体層、および接着剤層を有し、かつ更に付加層を有することを特徴とする請求項１の包帯。
【請求項９】
前記包帯は少なくとも２つのハンドル部を含み、各ハンドル部は切り欠きを有するそれぞれの中間領域により前記主部に繋がっていることを特徴とする請求項１の包帯。
【請求項１０】
前記各切り欠きは前記包帯の全ての層を貫いて伸びているが、各中間領域の全長に沿って伸びてはいない切り欠き部分であることを特徴とする請求項９の包帯。
【請求項１１】
前記包帯は周辺に沿って面取りされていることを特徴とする請求項１の包帯。
【請求項１２】
前記包帯は長さ対幅が少なくとも３：２の比をもつ細長い形状であることを特徴とする請求項１の包帯。
【請求項１３】
前記主部は少なくとも３つのハンドル部として機能する３つの突出部を備えることを特徴とする請求項１の包帯。
【請求項１４】
前記接着剤層は水膨潤性であることを特徴とする請求項１の包帯。
【請求項１５】
前記中間領域は、２つの切り欠き、すなわち、前記中間領域の両側の１つずつの切り欠きと、前記中間領域の長さを定める前記２つの切り欠き間の切り欠きのない部分とを含み、前記切り欠きの各々は前記包帯の全ての層を貫いて伸びていることを特徴とする請求項１の包帯。
【請求項１６】
主部、ハンドル部および前記主部とハンドル部間の結合線によって定まる長さを持つ中間領域から成る前記包帯であって、
前記主部は接着剤層、担体層を含み、
前記ハンドル部は前記主部の接着剤面に触れることなく皮膚へ包帯を適用するためのグリップとして使用できる設計であり、かつ包帯の主部と共通の少なくとも１つの層を有し、
前記中間領域は、その横に少なくとも１つの切り欠きを含み、これにより前記中間領域の長さが前記ハンドル部の最大幅の部分よりも短くなっており、
前記主部は共通層として前記中間領域に打ち抜き穴なしにさえぎられずに延びる上面を有する
ことを特徴とする包帯。
【請求項１７】
前記切り欠きは前記包帯の全ての層を貫いて伸びているが、前記中間領域の全長に沿って伸びてはいない切り欠き部分であることを特徴とする請求項１６の包帯。
【請求項１８】
前記中間領域は、２つの切り欠き、すなわち、前記中間領域の両側の１つずつの切り欠きと、前記中間領域の長さを定める前記２つの切り欠き間の切り欠きのない部分とを含み、前記切り欠きの各々は前記包帯の全ての層を貫いて伸びていることを特徴とする請求項１６の包帯。
【請求項１９】
主部、ハンドル部および前記主部とハンドル部間の結合線によって定まる長さを持つ中間領域から成る前記包帯であって、
前記主部は接着剤層、剥離ライナ、および担体層を含み、
前記ハンドル部は前記主部の接着剤面に触れることなく皮膚へ包帯を適用するためのグリップとして使用できる設計であり、かつ包帯の主部と共通の少なくとも１つの層を有し、
前記中間領域は、その横に少なくとも１つの切り欠きを含み、これにより前記中間領域の長さが前記ハンドル部の最大幅の部分よりも短くなっており、
前記主部は共通層として前記中間領域に打ち抜き穴なしにさえぎられずに延びる上面を有し、
前記中間領域は、２つの切り欠き、すなわち、前記中間領域の両側の１つずつの切り欠きを含み、前記切り欠きの各々は前記包帯の全ての層を貫いて伸びているが、前記中間領域の全長に沿って伸びてはいない
ことを特徴とする包帯。
【発明の詳細な説明】
【技術分野】
【０００１】
本発明は少なくとも１つのタブ部材を有する包帯に関し、タブ部材は接着剤層に触れることなく皮膚へ包帯を適用するための『無接触』グリップとして使用できる設計であり、このタブ部材は包帯の適用時または適用後に除去される。更に、本発明はかかる包帯を製造する方法に関する。
【背景技術】
【０００２】
薄い創傷包帯を傷、特に湾曲領域へ、皺を寄せずにまたは包帯それ自体または使用者の指に粘着させることなく適用することは困難であることが一般的に知られている。あらゆる種類の包帯が接着性の減退を解消するために接着剤層に触れることなく適用できることが望ましい。傷への細菌の導入の危険から、包帯の表面に触れることなく、即ち、皮膚と接触させないで患者の皮膚へ包帯を適用できることが望ましい。従来技術は創傷包帯の取扱を促進するために幾つかの方法を開示している。
【０００３】
ＵＳ特許第４，７５３，２３２号は包帯の１縁部に沿った『ハンドル』部を開示し、ここではこのハンドルは破裂材料から形成されるか、またはその包帯が縁部に沿ってミシン線を有するものであってよい。包帯適用後に、ハンドルは破って除去されるか、または患者の皮膚へ接着するように接着剤膜を担持してよい。ハンドルが破断される場合、破線に沿って接着剤の材料バリが残る。接着剤の材料バリは、例えば包帯を適用する人の指、その縁部に接触する衣服等に接着し、その結果包帯の緩みに繋がる。ハンドルが接着剤を担持しかつ患者の皮膚へ接着する場合、適用時に包帯が広がって不体裁になる。
【０００４】
ＵＳ特許第４，４１３，６２１号およびＥＰ出願番号第００８１９８７Ａ１号は、可撓性接着剤塗被シートおよびそのシートの両側縁部上のミシン線に隣接して可撓性シートと同一材料により形成された一対の無接着剤『ハンドル』部から成る可撓性接着剤塗被シートを開示する。包帯の適用後にミシン線に沿って分離することによりこの『ハンドル』部は可撓性シートから剥がすことができる。ハンドルの移動は力を必要とし、その結果として包帯の縁部が跳ね上がる。更に、この包帯は解剖学的（吻合）包帯を形成するためには使用できない。
【０００５】
ＷＯ特許公開第９４／２６５１４号は、使用前にはカバーシートにより遮蔽された一側が皮膚接着剤層を有する薄い透明フィルムから成る従来矩形創傷包帯（絆創膏）として使用できる自己接着ラミネートを開示している。カバーシートおよびバッキングシートはヒンジで連結されている。この包帯を適用するには、カバーシートを剥がし、ヒンジにより結合させた状態で、フィルムを患者へ接着させると共にヒンジに対向してタブを保持する。適用後にタブは４隅の１つに平行のミシン線に沿って破ることによりフィルムから除去される。この包帯は安定保持されかつ適用時の伸張を防止するので、解剖学的包帯を形成するためには使用できない。更に、破断された縁は比較的長い線状の接着剤を露出させるのであらゆるものに粘着する欠点を有し、包帯を剥離させる結果に繋がる。
【０００６】
ＥＰ特許出願番号第０６３８３０１号は半周投与装置を有する医療包帯およびその方法を開示する。開示された包帯装置はバッキング層、バッキング層上の接着剤、および接着剤上の剥離ライナから成り、この医療装置は更に最終包帯部および包帯部を包囲する半周支持部を含み、支持部は部分的に少なくとも１つの不支持縁部により形成され、かかる１以上の縁部が半周支持部の第１端部から第２端部へ延在する。包帯適用後に支持部を除去するための分離線は長く不便でありかつあらゆるものに粘着し易い。
【０００７】
最後に、ＥＰ特許出願第０５０７４５９号は接着剤、細片、透明包帯投与装置の組合体を開示している。この装置は接着剤細片の接着面への接触を回避するのが非常に困難な適用方法を提供する。これは汚染の危険から深刻な欠点になる。
【０００８】
上述の従来包帯の状態に関連する他の問題は、全体として製造が煩雑であり、或るものは破線またはミシン線に沿って悲惨な外観を有する不利な縁を残すことである。
【発明の開示】
【発明が解決しようとする課題】
【０００９】
従って、本発明の課題は接着剤に触れることなく包帯を容易に取扱うことのできる少なくとも１つのタブ部材を有する包帯を提供し、それにより既知包帯からのタブ除去に関する問題を解消することにある。
【課題を解決するための手段】
【００１０】
本発明は主部およびハンドル部から成る包帯に関し、前記主部は接着剤層、剥離ライナ、および選択的に保護層で被覆された担体層から成り、前記ハンドル部は少なくとも１つのタブ部材から成り、前記タブ部材は前記主部の接着剤面に触れることなく皮膚へ前記包帯を適用するための『無接触』グリップとして使用できる設計であり、かつ前記タブ部材は１以上の層から成りかつ前記包帯の主部と共通の少なくとも１層を有する。更に、前記包帯は、選択的に、前記ハンドル部と前記包帯の主部間に中間領域に少なくとも１つの切欠き部を有する。
【００１１】
他の特徴として、本発明はかかる包帯を製造する方法に関する。
以下に図面を参照して本発明を詳細に説明する。
【００１２】
上記図面は本発明の特定形態の概略例であり、本発明の範囲を制限するものと解釈されるべきでない。包帯の異なる層の厚み比率は図示例に限定することを意味しない。個別層の厚みは、例えば１以上の層が中間領域および／または面取り縁部に沿って薄い厚みであってよい等所定パターンにより変化してよい。
【００１３】
本発明による包帯は主部およびハンドル部から成り、前記主部は接着剤層、剥離ライナ、および選択的に保護層で被覆された担体層から成り、前記ハンドル部は少なくとも１つのタブ部材から成り、前記タブ部材は前記主部の接着剤面に触れることなく皮膚へ包帯を適用するための『無接触』グリップとして使用できる設計であり、前記タブ部材は１以上の層から成りかつ前記包帯の主部と共通の少なくとも１つの層を有し、かつ前記ハンドル部と前記主部間の中間領域の長さ（接続部の線）はその主部の周辺長の２０％未満であることを特徴とする。
【００１４】
前記タブ部材と前記包帯の主部の全層が共通しない場合に、包帯適用後にタブ部材を除去するために必要な力は小さくなるので有利である。必要な力が小さくなる場合には、包帯の緩み、接着剤縁部等に関する上述の問題は相当に解消される。更に、前記ハンドル部と前記主部間の中間領域の長さがその主部の周辺の長さの２０％未満である場合に特に有利であることが立証された。適用後に前記ハンドル部を引き裂くときに相当に小さい力を必要とするだけである。更に、引き裂いた縁部は充分に短く、包帯の剥がれの原因になる他のものに粘着すると言う問題を実質的に解消する。更に、引き裂きまたはミシン線に沿った不体裁な外観を作る危険は最小限になる。
【００１５】
本発明の１形態において、前記ハンドル部は少なくとも１つの付加層を有することを特徴とする。かかる層は、タブ部材が例えば手または指に付着する等表面への粘着することを防止するために設けられる。
【００１６】
本発明の他の形態によれば、前記包帯は、包帯適用時または適用後のタブ部材の除去を更に促進するために、前記ハンドル部と前記包帯の主部間の中間領域に少なくとも１つの切欠き部を有することを特徴とする。切欠き部は破れ目の表示として作用しかつタブ部材の除去に必要な力を減少させる。この破れ目は狭い中間領域内で制御されて破断されるので、その縁は非常に滑らかになる。
【００１７】
本発明の他の形態によれば、前記包帯において前記ハンドル部はその包帯の主部と共通の担体層を有することを特徴とし、これは特に包帯の適用を容易にする。
【００１８】
本発明の他の形態において、前記ハンドル部はその包帯の主部と共通の、接着剤層、剥離ライナ、および選択的に保護層に被覆された担体層を有することを特徴とし、これは特に本発明の包帯の製造を容易にする。
【００１９】
本発明の他の形態において、前記ハンドル部は、その包帯の主部と共通の、保護層、接着剤層、および剥離ライナを有することを特徴とする。この形態は、例えば担体層が幅を予め切断したエンドレス層等としてラインへ供給される場合に、実際に製造を特に容易にする。
【００２０】
本発明の他の形態において、前記ハンドル部は、包帯の主部と共通の担体層および接着剤層を有し、更に付加層を有し、かつ選択的に保護層に被覆されていることを特徴とする。この付加層は、例えば包帯を適用する手または指等の表面にタブ部材が粘着するのを阻止するために設けられる。これは、手の運動神経の欠陥（リューマチまたはパーキンソン病等）で苦しむ人が創傷包帯（絆創膏）を適用する場合に有利である。この場合、前記付加層として硬直層を使用でき、これはかかる人による包帯の適用を大いに容易にする。
【００２１】
前記包帯の接着剤層は皮膚に優しい接着剤、例えば水膨潤性のＰＳＡ（感圧接着剤）であるのが好ましい。特にハイドロコロイド含有の皮膚に優しい接着剤層であることが特に好ましい。
【００２２】
本発明による包帯は、軟化剤または活性構造体、例えば乾癬、湿疹、仮骨皮膚、うおのめ、虫さされ、アクネまたは水疱の形成を防止または処置するためのレチノイド（etinoids)等から成る。これは活性成分の容易かつ非汚染適用を伴う医療処置を開発する。更に、本発明の包帯は、例えば圧力緩和性等の他の性質を有していてよい。
【００２３】
第２の特徴として、本発明は主部およびハンドル部から成る不連続かつ個別包帯を製造する方法に関し、前記主部が接着剤層、剥離ライナおよび選択的に保護層により被覆された担体層から成り、前記ハンドル部が少なくとも１つのタブ部材から成り、前記タブ部材が前記主部の接着剤面に触れることなく包帯を皮膚へ適用するためのグリップとして使用できる設計であり、かつ前記タブ部材が１以上の層から成りかつその包帯の主部と共通の少なくとも１層を含み、前記方法は実質的連続供給の前記保護層を実質的連続供給の担体層にラミネートし、前記担体層に前記接着剤層を供給し、実質的連続供給の剥離ライナを供給し、選択的に前記保護層および／または前記剥離ライナをラミネートの前または後に切断し、前記包帯の周辺に沿って縁部を面取りし、かつ前記個別包帯を切断する工程から成る。かかる方法は新規でありかつ本発明による包帯の製造を非常に簡単にする。
【００２４】
第３の特徴として、本発明は主部およびハンドル部から成る不連続かつ個別包帯を製造する方法に関し、前記主部が接着剤層、剥離ライナおよび選択的に保護層により被覆された担体層から成り、前記ハンドル部が少なくとも１つのタブ部材から成り、前記タブ部材が包帯を前記主部の接着剤面に触れることなく皮膚へ適用するためのグリップとして使用できる設計であり、かつ前記タブ部材が１以上の層から成りかつその包帯の主部と共通の少なくとも１層を含み、前記方法は実質的連続供給の前記保護層を実質的連続供給の担体層にラミネートし、前記担体層に前記接着剤層を設け、実質的連続供給の付加層を設け、実質的連続供給の剥離ライナを設け、選択的に前記保護層および／または前記剥離ライナをラミネートの前または後に切断し、前記個別包帯の周辺に沿って縁部を面取りし、かつ前記個別包帯を切断する工程から成る。前記付加層は、例えば包帯を適用する手または指等の表面へ前記ハンドル部が粘着するのを防止する紙またはフィルムであってよい。
【発明を実施するための最良の形態】
【００２５】
図１は、主部２および２つのタブ部材３，４を含む本発明による創傷包帯１の１形態を示す。包帯のタブ部材３，４と主部２との間には２つの中間領域７，８がある。包帯の２つの中間領域７，８の各々には切欠き部５，６が形成されている。包帯１は共に参照番号９で示された幾つかの層１２，１３，１４から成る。切欠き部５，６は包帯１の複数層９の１層を越える層に及ぶ。包帯１を適用する場合、人は２つのタブ部材の一方を握って剥離ライナ（図示せず）を少なくとも包帯の主部から除去し、その後に両タブ部材３，４を握って包帯の主部２を、例えば傷の上に貼る。包帯の主部が適用されるときに、２つのタブ部材は軽く引っ張ることにより容易に除去される。そのとき、タブ部材３，４は包帯の主部２から分離して滑らかな縁を残す。
【００２６】
図１の形態において、切欠き部は包帯の上側に形成されている。これは本発明を限定することを意味せず、この切欠き部は、例えば包帯の下側または上下両側へ、適宜形成されてよい。更に、包帯は用途に応じて幾つかの切欠き部、例えば、３、４、５個またはそれ以上の数の切欠き部を有してよい。
【００２７】
図２および３は主部２および２つのタブ部材３，４から成る本発明の包帯１の２つの異なる形態を示す。包帯のタブ部材３，４と主部２間には２つの中間領域７，８がある。この包帯は各中間領域７，８に２つの切欠き部５ａ，５ｂおよび６ａ，６ｂを有する。これらの切欠き部は包帯の全層９にわたって形成されているが、２つの中間領域７，８の全長に沿うものではない。これらの２つの包帯は上記形態の包帯と同様に適用される。
【００２８】
切欠き部が採用される場合、切欠き部は用途または必要に応じて、図示されたように、または図示例を組み合わせて、または可能な組合せにより形成されてよい。
【００２９】
図示された本発明の形態による包帯は衣服および他のものへ接着する危険のある縁部を減少させるために面取りされてよく、それにより全体的により良い接着を促進し、かつタブ部材の分離を更に促進する。更に、かかる形態は包帯をより快適にする。面取りは、接着剤層の厚みが包帯の主部の境界、および主部とタブ部材間の中間領域に沿って最小となるように行われてよい。
【００３０】
図４から７は本発明による少なくとも１つのタブ部材を有する創傷包帯の異なる形態の断面図を概略的に示す。各図面における包帯は主部２、タブ部材３、およびタブ部材３と主部２間の中間領域８から成る。破線１０は各図において単に包帯の一部を示すことを表現する。これらの包帯は幾つかの層、保護層１１、担体層１２、接着剤層１３、および剥離ライナ１４から成る。異なる層の材料として特定層の目的に併せて利用可能な材料が使用できる。
【００３１】
図４において、タブ部材３は包帯の主部と共通の２単一層、保護層１１で構成されている。ある形態において、タブ部材３は包帯１の主部よりも大きい、例えば３倍から５倍の大きさであってよい。
【００３２】
図５において、タブ部材３は包帯の主部２と共通の単一層、担体層１２で構成されている。
【００３３】
他の形態において、単一層は、例えば剥離ライナであってよい。
【００３４】
図６において、タブ部材３は担体層１２、接着剤層１３および剥離ライナ１４で構成されたラミネートである。
【００３５】
図７において、タブ部材３は保護層１１、接着剤層１３、および剥離ライナ１４で構成されたラミネートデある。接着剤層１２は包帯の主部２までに限定され、中間領域８にその境界を有する。
【００３６】
図８において、タブ部材３は、包帯の主部２と共通する担体層１２、接着剤層１３、および剥離ライナ１４の３層から成るラミネートである。タブ部材３は、更に、付加層１５を有し、かつ図示されない保護層により選択的に被覆される。付加層１５はタブ部材が何らかの表面へ粘着する、例えば剥離ライナが包帯の主部２およびタブ部材３の両方の接着剤面から除去される場合に手または指に着くのを防止するために設けられている。この付加層は適宜材料、例えば手または指の運動神経に欠陥のある人の包帯の取扱を促進するために硬直材料で形成されてよい。
【００３７】
この包帯は更に複数の付加層を有していてよい。
【００３８】
図９において、タブ部材３は保護層１１、担体層１２、接着剤層１３、および剥離ライナ１４で構成されたラミネートから成る。この包帯は主部２とハンドル部３間の中間領域８に切欠き部６を有し、この切欠き部は保護層１１へ切り込まれている。更に、接着剤層１３は中間領域８に小さい厚みを有する。この形態は、ハンドル部３が除去されたときに非常に滑らかな縁を形成する。
【００３９】
図１０および１１は特に指の亀裂に適した『バナナ形』創傷包帯を示す。本発明によるこの創傷包帯は主部２およびハンドル部３，４から成る。ハンドル部３，４と包帯の主部２間には２つの中間領域７，８がある。この包帯は２つの中間領域７，８の各々に切欠き部５ａ，５ｂ，６ａ，６ｂを有する。包帯１は図１１に参照番号１１，１２，１３，１４および１５により示されたように幾つかの層から成る。この包帯１を適用する場合、その人は保護層１１を除去し、２つの中間領域７，８の１つを握り、かつ剥離ライナ１４を包帯の主部の少なくとも一部から除去し、その後にハンドル部３，４を握り、かつ包帯の主部２を指先の亀裂上に適用し、かつ指の爪の輪郭に滑らかに沿うように主部の２端部を適用する。包帯の主部が適用される場合、２つのハンドル部は軽く引っ張ることにより容易に除去される。そこで、ハンドル部３，４は包帯の主部２から分離されて滑らかな縁を残す。包帯を指の亀裂へ適用する場合、破断縁を有する小面積を更に最小限にするためにハンドル部３，４に近い包帯の２端部を相互に上下に重ねて適用する。『バナナ形』は指先上に創傷包帯を適用する場合に非常に効率的であることを示した。
【００４０】
図１１に示されたように、中間領域７は面取り時に比較的狭くされる。面取り工程時に、接着剤層１３は包帯全体に対して異なる厚みで形成される。そのようにして、包帯は中心部近くで相対的に親水性の大きい材料により、かつ縁部に沿って親水性の小さい材料により形成され、その結果として縁部は非常に薄くなる。
【００４１】
「材料および方法」
包帯の層の材料は適宜材料により形成できる。いくつかの材料について後述するが、使用材料の可能性を制限することを意味しない。
【００４２】
本発明により包帯を製造する方法は、それ自体既知の適宜方法である。幾つかの従来方法、例えば打抜法が長年にわたって使用されており、ここで敢えて検討する必要はない。
【００４３】
本発明により特定包帯を形成するための材料および方法の選択は当業者により容易に行われる。
【００４４】
「実施例部」
本発明の形態を開示する実施例を参考に本発明を更に詳細に以下に説明する。これらの実施例は添付の請求の範囲に記載の発明の範囲を限定するものでない。
【００４５】
実施例１
特定パターンの包帯の打抜きにより本発明によるタブ部材を有する包帯を形成
３０μｍのポリウレタン担体フィルム、ハイドロコロイド含有接着剤層、および剥離ライナ（シリコン紙）から成る包帯を、伝統的には長方形に打抜かれるが、図２または３に図示された他の形態に打抜き、適用時にハンドルとして機能する領域を形成した。ハンドルはその後に破断により容易に除去された。
【００４６】
実施例２
接着剤層と剥離ライナ間に付加層を組み合わせた包帯の特定パターンを打抜きにより本発明による２つのタブ部材を有する包帯を形成
ポリウレタン担体フィルム、ハイドロコロイド含有接着剤層、および剥離ライナ（シリコン紙）から成る包帯をそれ自体既知の方法で製造したが、その製造時に２細片の付加ライナを接着剤層と伝統的剥離ライナ間に設けた。図８の断面図はそのラミネートを示す。これらの付加ライナはタブ部材の皮膚への接着または指への付着を阻止した。この包帯は図２または３の図示形態に打抜かれ、適用時にハンドルとして作用する領域を形成した。その後にこのハンドルは引き裂くことにより容易に除去された。
【００４７】
実施例３
指亀裂に特に適した包帯の形成
『バナナ形』包帯を図１０および１１に従って設計した。１５μｍポリウレタン担体フィルム、ハイドロコロイド含有接着剤層、および剥離ライナから成る包帯をそれ自体既知の方法により製造した。製造時に、例えば手へ適用するときにハンドル部の粘着を阻止するために、ハンドル部の領域で接着剤層と伝統的剥離ライナ間に付加ライナの２細片を設けた。『バナナ形』包帯は分離線を表す２つの切欠き部を介して包帯から各々分離する２つのハンドル部を有する設計にされた。
【００４８】
分離線は、適用時に包帯が指先へ丁度適合するように伸張し、かつ指から外れること無く続くタブ部材の除去を可能にするように最適化する。その結果、包帯は、指の亀裂による痛みを緩和するように指先に容易に適用される。
【００４９】
以上、本発明は特定形態例を参照して説明された。多くの改変が添付の請求の範囲に記載された本発明の範囲を逸脱することなく可能である。
【図面の簡単な説明】
【００５０】
【図１】２つのタブ部材を有する本発明による創傷包帯の斜視図であり、包帯の主部とタブ部材間の中間領域の各々に沿って切欠き部が形成されている。
【図２】２つのタブ部材を有しかつ包帯の主部と２つのタブ部材間の中間領域の各々に２つの切欠き部を有する本発明による創傷包帯の他の形態の斜視図である。
【図３】２つのタブ部材を有しかつ包帯の主部と２つのタブ部材間の中間領域の各々に２つの切欠き部を有する本発明による創傷包帯のさらに他の形態の斜視図である。
【図４】本発明の第１形態によるタブ部材を有する創傷包帯の１側部の断面概略図である。
【図５】本発明の第２形態によるタブ部材を有する創傷包帯の１側部の断面概略図である。
【図６】本発明の第３形態によるタブ部材を有する創傷包帯の１側部の断面概略図である。
【図７】本発明の第４形態によるタブ部材を有する創傷包帯の１側部の断面概略図である。
【図８】本発明の第５形態によるタブ部材を有する創傷包帯の１側部の断面概略図である。
【図９】本発明の第６形態によるタブ部材を有する創傷包帯の１側部の断面概略図である。
【図１０】２つのタブ部材を有しかつ包帯の主部とタブ部材間の中間領域の各々に沿って切欠き部が形成された本発明による『バナナ形』創傷包帯の断面概略図である。
【図１１】図１０の『バナナ形』創傷包帯のＡ−Ａ線に沿った断面概略図である。
【図１】
2008173508.tif 000003
【図２】
2008173508.tif 000004
【図３】
2008173508.tif 000005
【図４】
2008173508.tif 000006
【図５】
2008173508.tif 000007
【図６】
2008173508.tif 000008
【図７】
2008173508.tif 000009
【図８】
2008173508.tif 000010
【図９】
2008173508.tif 000011
【図１０】
2008173508.tif 000012
【図１１】
2008173508.tif 000013